(57)【要約】【課題】使い勝手の良い洗濯機または乾燥機付き洗濯機または乾燥機または食器洗い機またはサーバを提供する。【解決手段】洗濯槽に投入された洗濯物の重量を測定するための重量センサ２９５と、音または光を出力するための出力部２７０，２３０と、洗濯後または乾燥後に重量が増加すると警告情報を出力部に出力させるためのプロセッサ２１０とを備える、洗濯機２００または乾燥機付き洗濯機または乾燥機が提供される。【選択図】図１
2019092981.tif 000002
【特許請求の範囲】
【請求項１】
洗濯槽に投入された洗濯物の重量を測定するための重量センサと、
音または光を出力するための出力部と、
洗濯後または乾燥後に前記重量が増加すると警告情報を前記出力部に出力させるためのプロセッサとを備える、洗濯機または乾燥機付き洗濯機または乾燥機。
【請求項２】
前記プロセッサは、前記洗濯物の重量がゼロになると、次の洗濯または乾燥まで警告情報の出力を停止する、請求項１に記載の洗濯機または乾燥機付き洗濯機または乾燥機。
【請求項３】
前記プロセッサは、前記洗濯後または乾燥後に前記重量がゼロになるまで通知情報を前記出力部に出力させ続ける、請求項１または２に記載の洗濯機または乾燥機付き洗濯機または乾燥機。
【請求項４】
洗濯機または乾燥機付き洗濯機または乾燥機と通信するための通信インターフェイスと、
前記通信インターフェイスを介して、前記洗濯機または乾燥機付き洗濯機または乾燥機での洗濯後または乾燥後に前記洗濯機または乾燥機付き洗濯機または乾燥機に投入されているものの重量が増加すると、警告情報を前記洗濯機または乾燥機付き洗濯機または乾燥機に出力させるためのプロセッサと、を備えるサーバ。
【請求項５】
投入された食器の重量を測定するための重量センサと、
音または光を出力するための出力部と、
食器の洗浄後に前記重量が増加すると警告情報を前記出力部に出力させるためのプロセッサとを備える、食器洗い機。
【請求項６】
前記プロセッサは、前記食器の重量がゼロになると、次の食器の洗浄まで警告情報の出力を停止する、請求項５に記載の食器洗い機。
【請求項７】
前記プロセッサは、前記食器の洗浄後に前記重量がゼロになるまで通知情報を前記出力させ続ける、請求項５または６に記載の食器洗い機。
【請求項８】
食器洗い機と通信するための通信インターフェイスと、
前記通信インターフェイスを介して、前記食器洗い機での食器の洗浄後に前記食器洗い機に投入されているものの重量が増加すると、警告情報を前記食器洗い機に出力させるためのプロセッサと、を備えるサーバ。
【発明の詳細な説明】
【技術分野】
【０００１】
本発明は、洗濯機または乾燥機付き洗濯機または乾燥機または食器洗い機またはそれらを通信可能なサーバの技術に関する。
【背景技術】
【０００２】
従来から洗濯機を制御するための技術が知られている。たとえば、特開２０１６−１９６５２号公報（特許文献１）には、洗濯機および洗濯システムが開示されている。特許文献１によると、洗濯機は、操作部からの指示と、記憶部に記憶された設定情報とに基づいて、洗濯物処理部および報知部を制御する制御装置とを備える。制御装置は、電源がオンされると、電源のオフ中に作成された設定変更指示情報を保存しているか否かを、通信部を介して、サーバに問い合わせる問い合わせ部と、サーバが問い合わせ部の問い合わせの回答として設定変更指示情報を通信部へ送信して、通信部が設定変更指示情報を受信したとき、設定変更指示情報に基づいて、記憶部に記憶された設定情報を変更する設定変更部とを有する。
【先行技術文献】
【特許文献】
【０００３】
【特許文献１】特開２０１６−１９６５２号公報
【発明の概要】
【発明が解決しようとする課題】
【０００４】
本発明の目的は、使い勝手の良い洗濯機または食器洗い機または乾燥機付き洗濯機または乾燥機またはサーバを提供することにある。
【課題を解決するための手段】
【０００５】
本発明のある態様に従うと、洗濯槽に投入された洗濯物の重量を測定するための重量センサと、音または光を出力するための出力部と、洗濯後または乾燥後に重量が増加すると警告情報を出力部に出力させるためのプロセッサとを備える、洗濯機が提供される。
【発明の効果】
【０００６】
以上のように、本発明によれば、使い勝手の良い洗濯機または乾燥機付き洗濯機または乾燥機または食器洗い機またはサーバが提供される。
【図面の簡単な説明】
【０００７】
【図１】第１の実施の形態にかかる洗濯機２００の動作概要を示すイメージ図である。
【図２】第１の実施の形態にかかる洗濯機２００の構成を表わすブロック図である。
【図３】第１の実施の形態にかかる重量推移データ２２１を示すイメージ図である。
【図４】第１の実施の形態にかかる洗濯機２００の情報処理を示すフローチャートである。
【図５】第３の実施の形態にかかるネットワークシステム１の全体構成と動作概要とを示すイメージ図である。
【図６】第３の実施の形態にかかるサーバ１００の構成を表わすブロック図である。
【図７】第３の実施の形態にかかる機器データ１２１を示すイメージ図である。
【図８】第３の実施の形態にかかるサーバの情報処理を示すフローチャートである。
【図９】第４の実施の形態にかかる食器洗い機２００Ｂの動作概要を示すイメージ図である。
【図１０】第４の実施の形態にかかるネットワークシステム１の全体構成と動作概要とを示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜洗濯機２００の動作概要＞
【０００９】
まず図１を参照しながら、本実施の形態にかかる洗濯機２００の動作概要について説明する。図１（Ａ）を参照して、洗濯機２００はユーザからの命令に基づいて洗濯を開始する。図１（Ｂ）、洗濯機２００は、洗い・すすぎ・脱水などの処理を実行して洗濯を完了する。通常、ユーザは、洗濯完了後に洗濯機２００の洗濯槽から洗濯済みの衣類などを取り出して、衣類を干したり、乾燥まで行った場合には衣類を畳んだりする。
【００１０】
しかしながら、図１（Ｄ）に示すように、洗濯済みの衣類が全て取り出される前に、誤って、新たに洗濯すべき衣類などが洗濯槽に投入される場合がある。そこで、本実施の形態にかかる洗濯機２００は、図１（Ｅ）に示すように、洗濯済みの衣類が全て取り出される前に、新たに洗濯すべき衣類などが洗濯槽に投入された場合に、警告を出力するように構成されている。
【００１１】
なお、図１（Ｃ）に示すように、洗濯終了後に最初に洗濯槽の扉が開けられた際に、洗濯が終了した旨や洗濯物の取り出しを促す音声メッセージや通知音や通知メッセージや通知用のライト光などを出力することが好ましい。あるいは、洗濯終了後から洗濯槽に投入されたものの重量がゼロになるまで、洗濯槽の扉が開けられる度に、洗濯が終了した旨や洗濯物の取り出しを促す音声メッセージや通知音や通知メッセージや通知用のライト光などを出力してもよい。
【００１２】
これによって、新たに洗濯すべき衣類などが、洗濯済みの衣類などの上に置かれて、そのまま放っておかれる可能性を低減することができる。以下では、このような機能を実現するためのネットワークシステム１について詳細に説明する。
＜洗濯機２００の構成＞
【００１３】
図２を参照して、ネットワークシステム１を構成するユーザ宅の洗濯機２００の構成の一態様について説明する。洗濯機２００は、主たる構成要素として、ＣＰＵ（Central Processing Unit）２１０と、メモリ２２０と、ディスプレイ２３０と、ライト２３１と、操作部２４０と、時計２５０と、通信インターフェイス２６０と、スピーカ２７０と、マイク２８０と、機器駆動部２９０と、重量センサ２９５とを含む。
【００１４】
ＣＰＵ２１０は、メモリ２２０あるいは外部の記憶媒体に記憶されているプログラムを実行することによって、洗濯機２００の各部を制御する。
【００１５】
メモリ２２０は、各種のＲＡＭや各種のＲＯＭなどによって実現され、洗濯機２００に内包されているものであってもよいし、洗濯機２００の各種インターフェイスに着脱可能なものであってもよいし、洗濯機２００からアクセス可能な他の装置の記録媒体であってもよい。メモリ２２０は、ＣＰＵ２１０によって実行される機器駆動プログラムや対話プログラムやその他のプログラムや、ＣＰＵ２１０によって利用されるデータ、たとえば重量推移データ２２１などを記憶する。
【００１６】
重量推移データ２２１は、図３に示すように、洗濯槽内に投入されるものの重量の推移を示すデータである。なお、メモリ２１０は、単に、今回の重量と前回の重量とを記憶するものであってもよい。
【００１７】
図２に戻って、ディスプレイ２３０は、ＣＰＵ２１０からの信号に基づいて、文字や画像などを出力する。本実施の形態においては、洗濯機２００は、１または複数のライト２３１も搭載する。たとえば、ライト２３１は、洗濯槽の周りや側壁などに配置され、ＣＰＵ２１０が、洗濯が終了した際にライト２３１を点灯・点滅させることによって、洗濯の終了を通知できることが好ましい。
【００１８】
操作部２４０は、ボタン、タッチパネルなどによって実現され、ユーザからの洗濯開始命令やモード設定命令などの各種命令を受け付けて、当該命令をＣＰＵ２１０に入力する。なお、ディスプレイ２３０と操作部２４０とは、タッチパネルを構成してもよい。
【００１９】
時計２５０は、時刻を測定したり、所定のタイミングからの経過時間を測定したりする。
【００２０】
通信インターフェイス２６０は、無線ＬＡＮ通信あるいは有線ＬＡＮなどの通信モジュールによって実現され、有線通信あるいは無線通信によって後述するサーバ１００などの他の装置との間でデータをやり取りする。たとえば、ＣＰＵ２１０は、操作部２４０を介して受け付けた命令や洗濯槽に投入されているものの重量を通信インターフェイス２６０を介してサーバ１００に送信したり、サーバ１００からの洗濯開始命令やモード設定命令などの各種の命令を受け付けてＣＰＵ２１０に入力したりする。
【００２１】
スピーカ２７０は、ＣＰＵ２１０からの信号に基づいて、音声を出力する。たとえば、ＣＰＵ２１０は、メモリ２２０に予め登録された音声データやサーバ１００から受信した音声データをスピーカ２７０から出力する。マイク２８０は、音声を取得して音声データをＣＰＵ２１０に入力する。たとえば、ＣＰＵ２１０は、マイク２８０を介して受け付けたユーザからの音声をサーバ１００に送信する。
【００２２】
機器駆動部２９０は、モータやアクチュエータやヒータなど、洗濯機２００の主要な機能を実現する。たとえば、ＣＰＵ２１０によって制御される洗濯槽を回転させるモータや、洗剤を所定のタイミングで所定量だけ洗濯槽に投入するユニットなどを含む。
【００２３】
重量センサ２９５は、洗濯槽の洗濯物の重さを測定してＣＰＵ２１０に入力する。本実施の形態においては、ＣＰＵ２１０は、重量センサ２９５を利用して、洗濯物の重さが変わった際や、洗濯開始命令を受け付けた際に洗濯槽に投入された洗濯物の重さを取得して、重量推移データ２２１に蓄積していく。なお、ＣＰＵ２１０は、測定された重量を通信インターフェイス２６０を介してサーバ１００に送信してもよい。
＜洗濯機２００の情報処理＞
【００２４】
図４を参照して、本実施の形態にかかる洗濯機２００のＣＰＵ２１０は、洗濯が終了すると以下の処理を実行する。より詳細には、本実施の形態においては、ＣＰＵ２１０は、洗濯が終了した際に、重量センサ２９５の測定値を重量推移データ２２１の初期値として登録し、その後、洗濯槽に投入されたものの重量がゼロになるまで、定期的に重量センサ２９５の測定値を取得していくものである。
【００２５】
なお、洗濯終了後に最初に洗濯槽の扉が開けられた際に、洗濯が終了した旨や洗濯物の取り出しを促す音声メッセージや通知音や通知メッセージや通知用のライト光などを出力することが好ましい。あるいは、洗濯終了後から洗濯槽に投入されたものの重量がゼロになるまで、洗濯槽の扉が開けられる度に、洗濯が終了した旨や洗濯物の取り出しを促す音声メッセージや通知音や通知メッセージや通知用のライト光などを出力してもよい。
【００２６】
ＣＰＵ２１０は、定期的に、たとえば１０秒毎に、重量センサ２９５を利用して洗濯槽に投入されているものの重量を測定する（ステップＳ１０２）。ＣＰＵ２１０は、重量推移データ２２１を参照して、測定された今回の重量が、前回の測定値よりも上がっているか否かを判断する（ステップＳ１０４）。ＣＰＵ２１０は、測定された今回の重量が、前回の測定値よりも上がっていない場合（ステップＳ１０４にてＮＯである場合）、今回の重量を重量推移データ２２１に蓄積して（ステップＳ１１０）、次の測定タイミングまで待機する。
【００２７】
一方、測定された今回の重量が、前回の測定値よりも上がっている場合（ステップＳ１０４にてＹＥＳである場合）、図１（Ｅ）に示すように、ＣＰＵ２１０は、スピーカ２７０に警告音や警告メッセージの出力を開始させたり、ディスプレイ２３０に警告画像や警告メッセージを表示させたりする（ステップＳ１２２）。ＣＰＵ２１０は、重量センサ２９５を利用して洗濯槽に投入されているものの重量を測定し直す（ステップＳ１２４）。ＣＰＵ２１０は、測定し直した重量が、前回の測定値よりも未だ重いか否かを判断する（ステップＳ１２６）。測定し直した重量が、前回の測定値よりも未だ重い場合は（ステップＳ１２６にてＹＥＳである場合）、ＣＰＵ２１０は、スピーカ２７０に警告音や警告メッセージの出力を繰り返させたり、ディスプレイ２３０に警告画像や警告メッセージの表示を繰り返させたりしながら、ステップＳ１２４からの処理を繰り返す。
【００２８】
測定し直した重量が前回の測定値よりも重くなくなった場合は（ステップＳ１２６にてＮＯである場合）、ＣＰＵ２１０は、ディスプレイ２３０やスピーカ２７０による警告の出力を停止させる（ステップＳ１２８）。ＣＰＵ２１０は、次の測定タイミングまで待機する。なお、ＣＰＵ２１０は、所定時間たとえば５分、が計画すると、警告音や警告メッセージの出力を停止させてもよい。
【００２９】
なお、測定された今回の重量が前回の測定値よりも上がっている場合（ステップＳ１０４にてＹＥＳである場合）に、今回の重量を重量推移データ２２１に蓄積しない形態であってもよいし、警告を停止した際（ステップＳ１２８）に今回の重量を重量推移データ２２１に蓄積する形態であってもよい。
【００３０】
本実施の形態においては、ＣＰＵ２１０は、洗濯槽に投入されたものの重量がゼロになった場合に重量推移データ２２１をリセットし、次回の洗濯が終了するまで待機する。すなわち、一度重量がゼロになると、次に新たな洗濯物を洗濯機２００に投入しても警告は出力されない。そして、次回の洗濯が終了した際の洗濯槽に投入されたものの重量を初期値として重量推移データ２２１の蓄積を開始する。
【００３１】
なお、ユーザが洗濯槽からものを取り出す際に、ユーザによって洗濯槽が押されて重量の増加を誤って検出してしまう可能性があるため、たとえば、ＣＰＵ１１０は、ステップＳ１０４にてＹＥＳである場合に、再度、洗濯槽に投入されたものの重量を測定して、未だ、測定された今回の重量が前回の測定値よりも上がっている場合にエラー警告を出力（ステップＳ１０６）してもよい。
【００３２】
なお、ここでは、洗濯機２００を例に挙げて洗濯後の追加投入を防止するための技術について説明したが、乾燥機付き洗濯機や乾燥機などに関して、乾燥後の追加投入を防止するものにも適用することができる。すなわち、ＣＰＵ２１０は、乾燥処理が終了した際に、乾燥機に投入されるものの重量センサ２９５の重量推移データ２２１を利用して、洗濯物の追加投入時に警告を出力してもよい。
＜第２の実施の形態＞
【００３３】
上記の実施の形態では、洗濯済みの衣類が全て取り出される前に、新たに洗濯すべき衣類などが洗濯槽に投入された場合に、警告が出力されるものであった。本実施の形態においては、第１の実施の形態の機能に加えて、ＣＰＵ２１０は、洗濯の完了時から洗濯槽に投入されたものの重量がゼロになるまで、ディスプレイ２３０に洗濯が終了した旨を通知画像や通知メッセージを表示させたり、洗濯槽の周りのライト２３０を点灯または点滅させたり、スピーカ２７０に洗濯が終了した旨の通知音声を出力させたりしてもよい。つまり、ＣＰＵ２１０は、洗濯終了後に、ディスプレイ２３０やライト２３０やスピーカ２７０による通知を継続的に実行しつつ、図４の情報処理を実行してもよい。
＜第３の実施の形態＞
【００３４】
上記の実施の形態では、洗濯済みの衣類が全て取り出される前に新たに洗濯すべき衣類などが洗濯槽に投入されたか否かを洗濯機２００が判断するものであった。本実施の形態においては、洗濯機２００が通信可能な家電制御サーバが、ユーザ宅の洗濯機２００において、洗濯済みの衣類が全て取り出される前に新たに洗濯すべき衣類などが洗濯槽に投入されたか否かを判断するものである。
＜ネットワークシステムの動作概要＞
【００３５】
図５を参照しながら、本実施の形態にかかるネットワークシステム１の動作概要について説明する。図５（Ａ）を参照して、洗濯機２００はユーザからの命令に基づいて洗濯を開始する。洗濯機２００は、洗濯を開始した旨をサーバ１００に送信する。図５（Ｂ）、洗濯機２００は、洗い・すすぎ・脱水などの処理を実行して洗濯を完了する。洗濯機２００は、洗濯を完了した旨をサーバ１００に送信する。通常、ユーザは、洗濯後に洗濯機２００の洗濯槽から洗濯済みの衣類などを取り出して、衣類を干したり、乾燥まで行った場合には衣類を畳んだりする。
【００３６】
しかしながら、図５（Ｄ）に示すように、洗濯済みの衣類が全て取り出される前に、誤って、新たに洗濯すべき衣類などが洗濯槽に投入される場合がある。そこで、本実施の形態にかかるサーバ１００は、図５（Ｅ）に示すように、洗濯済みの衣類が全て取り出される前に、新たに洗濯すべき衣類などが洗濯槽に投入された場合に、洗濯機２００に警告を出力させるように構成されている。
【００３７】
なお、図５（Ｃ）に示すように、洗濯終了後に最初に洗濯槽の扉が開けられた際に、洗濯が終了した旨や洗濯物の取り出しを促す音声メッセージや通知音や通知メッセージや通知用のライト光などを出力することが好ましい。あるいは、洗濯終了後から洗濯槽に投入されたものの重量がゼロになるまで、洗濯槽の扉が開けられる度に、洗濯が終了した旨や洗濯物の取り出しを促す音声メッセージや通知音や通知メッセージや通知用のライト光などを出力してもよい。
【００３８】
以下では、このような機能を実現するためのネットワークシステム１について詳細に説明する。
＜管理サーバ１００の構成＞
【００３９】
まず図６を参照して、ネットワークシステム１を構成する家電制御用の管理サーバ１００の構成の一態様について説明する。本実施の形態にかかる管理サーバ１００は、主たる構成要素として、ＣＰＵ１１０と、メモリ１２０と、操作部１４０と、通信インターフェイス１６０とを含む。
【００４０】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００４１】
メモリ１２０は、ＲＡＭやＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、機器データ１２１、重量推移データ、その他の本実施の形態にかかる電気機器制御サービスに利用されるデータベースなどを記憶する。
【００４２】
ここで、図７を参照して、本実施の形態にかかる機器データ１２１は、電気機器制御サービスに登録されている電気機器毎に、機器ＩＤと、ユーザ名と、種類や型番と、通信アドレスなどの対応関係を格納する。
【００４３】
なお、本実施の形態にかかる重量推移データに関しては、メモリ１２０は、洗濯機２００毎に第１の実施の形態の重量推移データ２２１を記憶するものである。なお、第１の実施の形態と同様に、サーバ１００は、洗濯機２００毎に、単に、今回の重量と前回の重量とを記憶するものであってもよい。
【００４４】
図６に戻って、操作部１４０は、サービスの管理者などからの操作を受け付けて、各種の命令をＣＰＵ１１０に入力する。
【００４５】
通信インターフェイス１６０は、ＣＰＵ１１０からのデータを、インターネット、キャリア網、ルータなどを介して洗濯機２００などの他の装置に送信する。逆に、通信インターフェイス１６０は、インターネット、キャリア網、ルータなどを介して他の装置からのデータを受信してＣＰＵ１１０に受け渡す。
＜サーバ１００の情報処理＞
【００４６】
本実施の形態においては、洗濯機２００のＣＰＵ２１０は、定期的に、重量センサ２９５を利用して洗濯槽に投入されているものの重量を測定し、通信インターフェイス２６０を介して測定データをサーバ１００にアップロードする。そして、本実施の形態にかかるサーバ１００のＣＰＵ１１０は、通信インターフェイス１６０を介して洗濯機２００からデータを受信すると、以下に示すような処理を実行する。
【００４７】
なお、本実施の形態においても、サーバ１００のＣＰＵ１１０は、通信インターフェイス１６０を介して、洗濯機２００による洗濯終了後に最初に洗濯槽の扉が開けられた際に、洗濯が終了した旨や洗濯物の取り出しを促す音声メッセージや通知音や通知メッセージや通知用のライト光などを出力させることが好ましい。あるいは、サーバ１００のＣＰＵ１１０は、通信インターフェイス１６０を介して、洗濯機２００による洗濯終了後から洗濯槽に投入されたものの重量がゼロになるまで、洗濯槽の扉が開けられる度に、洗濯が終了した旨や洗濯物の取り出しを促す音声メッセージや通知音や通知メッセージや通知用のライト光などを出力させてもよい。
【００４８】
図８を参照して、ＣＰＵ１１０は、洗濯機２００からの受信データから重量を取得する（ステップＳ２０２）。なお、本実施の形態においては、ＣＰＵ１１０は、受信データから洗濯機２００のＩＤを取得したり、機器データ１２１を参照してユーザを特定したりする。ＣＰＵ１１０は、洗濯機２００に対応する重量推移データ２２１を参照して、測定された今回の重量が、前回の測定値よりも上がっているか否かを判断する（ステップＳ２０４）。ＣＰＵ１１０は、測定された今回の重量が、前回の測定値よりも上がっていない場合（ステップＳ２０４にてＮＯである場合）、今回の重量を洗濯機２００に対応する重量推移データ２２１に蓄積して（ステップＳ２１０）、次の洗濯機２００からのデータを待ち受ける。
【００４９】
一方、測定された今回の重量が、前回の測定値よりも上がっている場合（ステップＳ２０４にてＹＥＳである場合）、ＣＰＵ１１０は、通信インターフェイス１６０を介して洗濯機２００に警告音や警告メッセージの出力を開始させたり、警告画像や警告メッセージを表示させたりする（ステップＳ２２２）。ＣＰＵ１１０は、通信インターフェイス１６０を介して、洗濯機２００に洗濯槽に投入されているものの重量を測定し直させる（ステップＳ２２４）。ＣＰＵ１１０は、洗濯機２００で測定し直した重量が、前回の測定値よりも未だ重いか否かを判断する（ステップＳ２２６）。測定し直した重量が、前回の測定値よりも未だ重い場合は（ステップＳ２２６にてＹＥＳである場合）、ＣＰＵ１１０は、通信インターフェイス１６０を介して、洗濯機２００に警告音や警告メッセージの出力を繰り返させたり、警告画像や警告メッセージの表示を繰り返させたりしながら、ステップＳ２２４からの処理を繰り返す。
【００５０】
洗濯機２００測定し直した重量が前回の測定値よりも重くなくなった場合は（ステップＳ２２６にてＮＯである場合）、ＣＰＵ１１０は、通信インターフェイス１６０を介して、洗濯機２００による警告の出力を停止させる（ステップＳ２２８）。ＣＰＵ１１０は、次の洗濯機２００からのデータを待ち受ける。なお、ＣＰＵ１１０は、所定時間たとえば５分、が計画すると、通信インターフェイス１６０を介して、洗濯機２００に警告音や警告メッセージの出力を停止させてもよい。
【００５１】
なお、測定された今回の重量が前回の測定値よりも上がっている場合（ステップＳ２０４にてＹＥＳである場合）には、今回の重量を洗濯機２００に対応する重量推移データ２２１に蓄積しない形態であってもよいし、警告を停止させた際（ステップＳ２２８）に今回の重量を洗濯機２００に対応する重量推移データ２２１に蓄積してもよい。
【００５２】
本実施の形態においては、ＣＰＵ１１０は、洗濯槽に投入されたものの重量がゼロになった場合に対象となる洗濯機２００に対応する重量推移データ２２１をリセットし、当該洗濯機２００の次回の洗濯が終了するまでは新たな洗濯物が洗濯機２００に投入されても洗濯機２００に警告を出力させない。そして、対象となる洗濯機２００の次回の洗濯が終了した際の最初の重量を当該洗濯機２００に対応する重量推移データ２２１の初期値としている。
＜第４の実施の形態＞
【００５３】
上記の実施の形態においては、洗濯済みの衣類が全て取り出される前に新たに洗濯すべき衣類などが洗濯槽に投入された場合に、警告を出力するものであった。上記の第１から第３の実施の形態の技術は、洗濯機２００に限らず、図９に示すように、食器洗い機２００Ｂにも応用できるものである。
【００５４】
たとえば、図９（Ａ）を参照して、食器洗い機２００Ｂはユーザからの命令に基づいて食器の洗浄を開始する。図９（Ｂ）、食器洗い機２００Ｂは、食器の洗浄を完了する。通常、ユーザは洗浄後に食器洗い機２００Ｂを開放して食器を取り出すが、図９（Ｄ）に示すように、洗浄済みの食器が全て取り出される前に、誤って、新たに洗浄すべき食器などが食器洗い機２００Ｂに投入される場合がある。そこで、本実施の形態にかかる食器洗い機２００Ｂは、図９（Ｅ）に示すように、洗浄済みの食器が全て取り出されるまでに、新たに洗浄すべき食器などが食器洗い機２００Ｂに投入された場合に、警告を出力するように構成されている。
【００５５】
本実施の形態においても、図９（Ｃ）に示すように、洗浄終了後に最初に扉が開けられた際に、食器の洗浄が終了した旨や食器の取り出しを促す音声メッセージや通知音や通知メッセージや通知用のライト光などを出力することが好ましい。あるいは、洗浄終了後から食器の重量がゼロになるまで、扉が開けられる度に、食器の洗浄が終了した旨や食器の取り出しを促す音声メッセージや通知音や通知メッセージや通知用のライト光などを出力してもよい。
【００５６】
なお、食器洗い機２００Ｂは、図２の洗濯機２００と同様に、主に、ＣＰＵ２１０と、メモリ２２０と、ディスプレイ２３０と、ライト２３１と、操作部２４０と、時計２５０と、通信インターフェイス２６０と、スピーカ２７０と、マイク２８０と、機器駆動部２９０と、重量センサ２９５などを含む。そして、図４に示すように、食器洗い機２００ＢのＣＰＵ２１０も、重量センサ２９５からの測定値に基づいて重量推移データ２２１を蓄積し、重量が増えた場合にスピーカ２７０やディスプレイ２３０から警告を出力するものである。
【００５７】
なお、図１０に示すように、食器洗い機２００Ｂが通信可能なサーバ１００が、図８に示すように食器洗い機２００Ｂ毎に、洗浄後に内部の食器などの重量が増えたか否かを判断し、重量が増えた場合に食器洗い機２００Ｂに警告を出力させてもよい。
＜第５の実施の形態＞
【００５８】
上記の実施の形態の洗濯機２００や食器洗い機２００Ｂやネットワークシステム１のサーバ１００などの各装置の役割の一部または全部を他の装置が実行してもよい。より詳細には、サーバ１００の処理の一部または全部を洗濯機２００や食器洗い機２００Ｂが担ったり、洗濯機２００や食器洗い機２００Ｂの機能の一部をサーバ１００が担ったりしてもよい。あるいは、サーバ１００の役割を、クラウド上の多数のサーバによって分担して実現してもよい。
＜まとめ＞
【００５９】
上記の実施の形態においては、洗濯槽に投入された洗濯物の重量を測定するための重量センサ２９５と、音または光を出力するための出力部２７０，２３０と、洗濯後または乾燥後に重量が増加すると警告情報を出力部に出力させるためのプロセッサ２１０とを備える、洗濯機２００または乾燥機付き洗濯機または乾燥機が提供される。
【００６０】
好ましくは、プロセッサ２１０は、洗濯物の重量がゼロになると、次の洗濯または乾燥まで警告情報の出力を停止する。
【００６１】
好ましくは、プロセッサ２１０は、洗濯後または乾燥後に重量がゼロになるまで通知情報を出力部２７０，２３０に出力させ続ける。
【００６２】
上記の実施の形態においては、洗濯機２００または乾燥機付き洗濯機または乾燥機と通信するための通信インターフェイス１６０と、通信インターフェイス１６０を介して、洗濯機２００または乾燥機付き洗濯機または乾燥機での洗濯後または乾燥後に洗濯機２００または乾燥機付き洗濯機または乾燥機に投入されているものの重量が増加すると、警告情報を洗濯機２００または乾燥機付き洗濯機または乾燥機に出力させるためのプロセッサ１１０と、を備えるサーバ１００が提供される。
【００６３】
上記の実施の形態においては、投入された食器の重量を測定するための重量センサ２９５と、音または光を出力するための出力部２７０，２３０と、食器の洗浄後に重量が増加すると警告情報を出力部２７０，２３０に出力させるためのプロセッサ２１０とを備える、食器洗い機２００Ｂが提供される。
【００６４】
好ましくは、プロセッサ２１０は、食器の重量がゼロになると、次の食器の洗浄まで警告情報の出力を停止する。
【００６５】
好ましくは、プロセッサ２１０は、食器の洗浄後に重量がゼロになるまで通知情報を出力させ続ける。
【００６６】
上記の実施の形態においては、食器洗い機２００Ｂと通信するための通信インターフェイス１６０と、通信インターフェイス１６０を介して、食器洗い機２００Ｂでの食器の洗浄後に食器洗い機２００Ｂに投入されているものの重量が増加すると、警告情報を食器洗い機２００Ｂに出力させるためのプロセッサ１１０と、を備えるサーバ１００が提供される。
【００６７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６８】
１        ：ネットワークシステム
１００    ：管理サーバ
１１０    ：ＣＰＵ
１２０    ：メモリ
１２１    ：機器データ
１４０    ：操作部
１６０    ：通信インターフェイス
２００    ：洗濯機
２１０    ：ＣＰＵ
２２０    ：メモリ
２２１    ：重量推移データ
２３０    ：ディスプレイ
２３１    ：ライト
２４０    ：操作部
２５０    ：時計
２６０    ：通信インターフェイス
２７０    ：スピーカ
２８０    ：マイク
２９０    ：機器駆動部
２９５    ：重量センサ
【図１】
2019092981.tif 000003
【図２】
2019092981.tif 000004
【図３】
2019092981.tif 000005
【図４】
2019092981.tif 000006
【図５】
2019092981.tif 000007
【図６】
2019092981.tif 000008
【図７】
2019092981.tif 000009
【図８】
2019092981.tif 000010
【図９】
2019092981.tif 000011
【図１０】
2019092981.tif 000012